(57)【要約】【課題】  販売促進のための電子クーポンを適切にユーザに付与するとともに、スマートポスターや携帯電話などの簡素な設備を用いて電子クーポンを使用出来るユーザと利用店舗の双方にとって有益な電子クーポンの使用方法を提供する【解決手段】  ユーザの携帯端末が保持している電子クーポンを使用する際、店舗に設置されたスマートポスターまたは店舗内で用いる情報処理端末より、電子クーポンを使用した店舗の識別子を取得し、どのユーザがどの電子クーポンをどの店舗で使用したかをクーポン配布サーバに送信して、該電子クーポンが使用したことを通知するとともに、クーポンの使用状況をユーザや利用店舗の端末に表示する。【選択図】図２
2014002682.tif 000002
【特許請求の範囲】
【請求項１】
個々のユーザの条件に合った電子クーポンをクーポンデータベースから選択し該ユーザに付与するクーポン配信手段を備えたクーポン配布サーバと、
前記配信された電子クーポンとユーザ識別子とを内部に保持し近距離通信機能を備えたユーザの携帯端末と、
店舗の識別子を内部に保持し近距離無線通信機能を備えた店舗内で用いるＰＯＳ端末と、を用いて電子クーポンを使用する方法であって、
ユーザが、ユーザの携帯端末が保持している電子クーポンの中から使用する電子クーポンを選択してユーザの携帯端末の画面に表示させるステップと、
ユーザの携帯端末からユーザ識別子と使用する電子クーポンの識別子をクーポン配布サーバに送信するステップと、
ユーザ識別子が、ユーザの携帯端末から前記ＰＯＳ端末へ近距離無線通信によって送信されるステップと、
前記ＰＯＳ端末が電子クーポンを使用したユーザ識別子をクーポン配布サーバに送信するステップと、
ユーザ識別子を受信したクーポン配布サーバが該当する電子クーポンのクーポン情報を前記ＰＯＳ端末に送信するステップと、
クーポン情報を受信した前記ＰＯＳ端末が対象商品の特典供与を行うとともに使用した電子クーポンの識別子をクーポン配布サーバに送信するステップと、
電子クーポンの識別子を受信したクーポン配布サーバは該電子クーポンを使用済みとして処理するステップと、の各ステップからなることを特徴とする電子クーポンの使用方法。
【請求項２】
前記ＰＯＳ端末が対象商品の特典供与に係る処理を行った後、クレジットカードによる決済を引き続き行い、
カード会社に対しクレジットカード情報と特典供与済みの金額を送信するステップと、
クレジット会社がこの情報を受信し認証するとクレジットカードによる決済を行うとともにＰＯＳ端末に対し決済の結果を送信するステップと、
ＰＯＳ端末は決済の結果を受信してレシートデータを作成しレシートを出力するステップと、をさらに備えた請求項１に記載の電子クーポンの使用方法。
【請求項３】
個々のユーザの条件に合った電子クーポンをクーポンデータベースから選択し該ユーザに付与するクーポン配信手段を備えたクーポン配布サーバと、
前記配信された電子クーポンとユーザ識別子とを内部に保持し近距離通信機能を備えたユーザの携帯端末と、
店舗の識別子と近距離無線通信機能を備えた店舗内で用いる情報処理端末と、を用いて電子クーポンを使用する方法であって、
ユーザが、ユーザの携帯端末が保持している電子クーポンの中から使用する電子クーポンを選択するステップと、
ユーザが選択した電子クーポンの識別子とユーザ識別子がユーザの携帯端末から店舗内で用いる情報処理端末に送信されるステップと、
店員が店舗内で用いる情報処理端末に送信された電子クーポンの画面を目視し対象商品の特典供与を行うステップと、
店員が店舗内で用いる情報処理端末を用いてユーザ識別子と使用する電子クーポンの識別子および電子クーポンを使用した店舗の識別子をクーポン配布サーバに送信するステップと、
これらの複数の識別子を受信したクーポン配布サーバが該電子クーポンを使用済みとして処理して処理結果を店舗内で用いる情報処理端末に送信するステップと、
前記処理結果を受信した店舗内で用いる情報処理端末は電子クーポンの使用結果画面を表示するステップと、の各ステップからなることを特徴とする電子クーポンの使用方法。
【請求項４】
前記ユーザの携帯端末が近距離無線通信によって店舗内で用いる情報処理端末に対し使用する電子クーポンを送信した後、該電子クーポンを使用済みとした使用結果画面データを自身のコンピュータプログラムにより作成して使用結果画面を画面上に表示する、請求項３に記載の電子クーポンの使用方法。
【請求項５】
個々のユーザの条件に合った電子クーポンをクーポンデータベースから選択し該ユーザに付与するクーポン配信手段を備えたクーポン配布サーバと、
前記配信された電子クーポンとユーザ識別子とを内部に保持し近距離無線通信機能を備えたユーザの携帯端末と、
店舗の識別子を近距離無線通信によって送信するスマートポスターと、を用いて電子クーポンを使用する方法であって、
ユーザが、ユーザの携帯端末が保持している電子クーポンの中から使用する電子クーポンを選択してユーザの携帯端末の画面に表示させるステップと、
ユーザの携帯端末がスマートポスターから該店舗の識別子を近距離無線通信によって取得するステップと、
店員が前記選択された電子クーポンの画面を目視し対象商品の特典供与をするステップと、
ユーザの指示により携帯端末がユーザ識別子と使用する電子クーポンの識別子および電子クーポンを使用した店舗の識別子をクーポン配布サーバに送信するステップと、
これらの複数の識別子を受信したクーポン配布サーバが該電子クーポンを使用済みとして処理して処理結果をユーザの携帯端末に送信するステップと、
前記処理結果を受信した前記携帯端末は電子クーポンの使用結果画面を表示するステップと、の各ステップからなることを特徴とする電子クーポンの使用方法。
【請求項６】
個々のユーザの条件に合った電子クーポンをクーポンデータベースから選択し該ユーザに付与するクーポン配信手段を備えたクーポン配布サーバと、
前記配信された電子クーポンとユーザ識別子とを内部に保持し近距離無線通信機能を備えたユーザの携帯端末と、
店舗の識別子を近距離無線通信によって送信するスマートポスターと、を用いて電子クーポンを使用する方法であって、
ユーザが、ユーザの携帯端末が保持している電子クーポンの中から使用する電子クーポンを選択してユーザの携帯端末の画面に表示させるステップと、
ユーザの携帯端末がスマートポスターから該店舗の識別子を近距離無線通信によって取得するステップと、
ユーザの指示により携帯端末がユーザ識別子と使用する電子クーポンの識別子および電子クーポンを使用した店舗の識別子をクーポン配布サーバに送信するステップと、
これらの複数の識別子を受信したクーポン配布サーバが該電子クーポンを使用済みとして処理して処理結果をユーザの携帯端末に送信するステップと、
前記処理結果を受信した前記携帯端末は電子クーポンの使用結果画面を表示するステップと、
店員が前記使用結果画面を目視して前記電子クーポンの対象商品の特典供与をするステップと、の各ステップからなることを特徴とする電子クーポンの使用方法。
【請求項７】
外部端末からネットワークを通じてユーザ識別子と使用する電子クーポンの識別子と電子クーポンを使用した店舗の識別子を含むリクエストを受付けて、処理結果を返信する送受信手段と、
ユーザの携帯端末に対し、所定の時間毎に電子クーポンをクーポンデータベースから選択し該ユーザに付与するクーポン配信手段と、
付与した電子クーポンを蓄積するユーザ保有クーポンデータと、
外部端末からのクーポン識別子を含むクーポン使用通知を受けユーザ保有クーポンデータを書き換えて結果を返信し、外部端末からのクーポン識別子を含むクーポン使用予告を受けユーザ保有クーポンデータを書き換えるとともに外部端末からのユーザ識別子を含むクーポン情報問合せを受けユーザ保有クーポンデータのクーポン情報を返信するクーポン管理手段と、上記各手段を制御する制御手段と、を備えることを特徴とするクーポン配布サーバ。
【請求項８】
配信された電子クーポンとユーザ識別子とを内部に保持し、使用する電子クーポンの選択指示を受付けて選択されたクーポンの情報を表示装置に表示し、近距離無線通信機能によって電子クーポンを使用した店舗のスマートポスターから店舗の識別子を取得した後、クーポン使用通知とともにユーザ識別子と使用する電子クーポンの識別子およびスマートポスターから取得した店舗の識別子をクーポン配布サーバに送信することを特徴とする携帯端末に搭載するプログラム。
【請求項９】
配信された電子クーポンとユーザ識別子とを内部に保持し、使用する電子クーポンの選択指示を受付けて選択された電子クーポンの識別子とユーザ識別子を、店舗内で用いる情報処理端末が近距離無線通信機能によって取得することを特徴とする携帯端末に搭載するプログラム。
【請求項１０】
配信された電子クーポンとユーザ識別子とを内部に保持し、使用する電子クーポンの選択指示を受付けて選択された電子クーポンの識別子とユーザ識別子を、店舗内で用いる情報処理端末に対して近距離無線通信機能によって送信することを特徴とする携帯端末に搭載するプログラム。
【請求項１１】
前記ユーザの携帯端末が近距離無線通信によって店舗内で用いる情報処理端末に対し使用する電子クーポンのユーザ識別子を通知した後、該電子クーポンを使用済みとした使用結果画面データを自身のコンピュータプログラムにより作成して使用結果画面を画面上に表示することを特徴とする、請求項９または請求項１０に記載の携帯端末に搭載するプログラム。
【請求項１２】
配信された電子クーポンとユーザ識別子とを内部に保持し、使用する電子クーポンの選択指示を受付けて選択された電子クーポンのユーザ識別子を、近距離無線通信機能によって前記ＰＯＳ端末に取得させることを特徴とする、携帯端末に搭載するプログラム。
【請求項１３】
配信された電子クーポンとユーザ識別子とを内部に保持し、使用する電子クーポンの選択指示を受付けて選択された電子クーポンのユーザ識別子を、近距離無線通信機能によって前記ＰＯＳ端末に対して送信することを特徴とする携帯端末に搭載するプログラム。
【請求項１４】
前記ユーザの携帯端末が近距離無線通信によって前記ＰＯＳ端末に対しクレジットカードでの決済に必要な情報を送信することを特徴とする、請求項１２または請求項１３に記載の携帯端末に搭載するプログラム。
【請求項１５】
ユーザの携帯端末からユーザ識別子と使用する電子クーポンの識別子を含む使用するクーポンのデータを近距離無線通信機能によって取得し、該クーポンの情報を表示装置に表示し、クーポン使用通知とともにユーザ識別子と使用する電子クーポンの識別子および電子クーポンを使用した店舗の識別子をクーポン配布サーバに送信する、通知アプリケーションを備えることを特徴とする店舗内で用いる情報処理端末。
【請求項１６】
前記店舗内で用いる情報処理端末は、ユーザの携帯端末が送信するユーザ識別子と使用する電子クーポンの識別子を含む使用するクーポンのデータを近距離無線通信機能によって受信することを特徴とする、請求項１５に記載の店舗内で用いる情報処理端末。
【請求項１７】
コンピュータを請求項７に記載のクーポン配布サーバとして機能させるコンピュータプログラム。
【請求項１８】
コンピュータを請求項１５から請求項１６のいずれか一項に記載の店舗内で用いる情報処理端末として機能させるコンピュータプログラム。
【発明の詳細な説明】
【技術分野】
【０００１】
本発明は、商品等の購入の際に、購入金額の割引や景品の付与等、購入者に有利な購入形態を生じさせるクーポンの使用に関するもので、特にインターネット等のネットワークを介して入手した電子的なクーポンを使用する方法およびクーポン配布サーバ、ユーザの携帯端末、店舗の情報処理端末に関する。
【背景技術】
【０００２】
従前より、一般的な店頭での商取引において、購買意欲の促進や特定の商品を周知させる目的で、クーポン券が広く用いられている。このクーポン券を店頭で提示することにより、該クーポン券に記載されている商品の購入金額の割引や商品に関連した景品の付与等の特典が購入者に与えられる。これらのクーポン券はチラシや刊行物の誌面上等に設けられる形で購入者に提供されることが多い。従ってこれらのクーポン券を使用するために、購入者が該クーポン券をチラシや誌面から切り抜いて現物を財布等に入れて持ち歩く必要があった。
【０００３】
近年では、従来の紙媒体のクーポン券に代わりクーポンの情報を電子的に配信し、受信者はこの電子的なクーポン情報をクーポン券と同様に使用できる、いわゆる電子クーポンの使用が伸張しつつある。特に、インターネット等のネットワークの発達により、これらのネットワークを介して、スマートフォン等の携帯端末にクーポンの情報を配信することが盛んに行われるようになってきている。
【０００４】
特許文献１では、クーポン券を表示情報として表示するための電子データを携帯端末に配信し、様々な場所でクーポン券を携帯端末上に瞬時に表示させることができることを特徴とするクーポン情報配信方法が開示されている。これに拠れば、商品等の購入を行う際に携帯端末の表示画面上においてクーポン券の画像を表示することができる。
【０００５】
また、特許文献２では、携帯電話のような通信端末機器に情報配信装置からクーポン情報を配信しておき、この情報を端末機器に記憶させ店舗に携えて、使用店舗での決済の際に、ＰＯＳ端末と携帯端末が通信することにより、クーポン情報を使用できるようにすることで、紙のクーポンを持ち歩くことなく決済を行う方法が示されている。
【０００６】
ところで、紙媒体等によるクーポン券の使用に際しては、使用時に店舗で店員に渡すことで使用済みとすることができるが、クーポン券を電子データで保持する場合、クーポン情報を使用した際に何らかの方法で使用済み（再使用できない）とする必要がある。
【０００７】
これについて、前記特許文献１の方法では、クーポン券を利用されたことを確定させるデータがその利用された携帯移動端末において生成され、その利用確定データがクーポン券を配信するサーバに向けて送信されるといった方法を用いて、クーポンを使用済みと認識させる方法が提示されている。また、前記特許文献２では、クーポンを使用した情報が「利用ログ」として配信サーバに送付され、クーポンを使用済みと認識させる。
【先行技術文献】
【特許文献】
【０００８】
【特許文献１】特開２００２−２３６８３８号公報
【特許文献２】特開２００１−２１６４５１号公報
【発明の概要】
【発明が解決しようとする課題】
【０００９】
しかしながら、特許文献１に開示された電子クーポンの配布装置および方法によれば、クーポン券を利用されたことを確定させるデータの生成はユーザ自身の端末で行うため、クーポン使用後の事後処理となり、クーポンを使用した直後では該クーポンが使用済みになったかどうかの確認はできない。また、利用確定データの送信はユーザにとって必然性に乏しいため、送信を行った場合に別な特典を付与する等、ユーザの関心を喚起させ、クーポン使用後のデータ送信を薦める工夫をする必要があった。さらに、この方法ではクーポンを使用した店舗の情報が得られないため、複数の店舗で用いることができるクーポンが使用された場合、どこの店舗で使用されたかは判らない。
【００１０】
また、特許文献２の方法においては、近距離無線通信手段を備えたＰＯＳ端末としての電子キャッシュレジスタの設置が前提となっており、ＰＯＳ自体の基幹処理系を介して携帯電話から送られてくるクーポンが、正しいものであるか、利用可能なものであるかを認証する機能を持つことが求められている。このような前提では、電子キャッシュレジスタを持たない一般の小規模な店舗や、このような機能の備わっていない設備しか持っていない店舗では、この方法を新たに採用するには費用負担が大きいという問題がある。
【００１１】
本発明は商取引に用いられる電子クーポンの配布と使用に関するものであり、その目的とするところは、ユーザの所望する販売促進のための電子クーポンを適切にユーザに付与するとともに、店舗の店員との応対およびスマートポスターや携帯電話などの簡素な設備を用いて電子クーポンを使用出来るようにすることにより、ユーザと使用店舗の双方にとって有益な電子クーポンの使用方法およびクーポン配布サーバ、コンピュータプログラムを提供するものである。ここで、スマートポスターとは掲示体（ポスター、ＰＯＰなど）であって近距離無線通信機能による関連情報提供機能を備えたものをいう。
【課題を解決するための手段】
【００１２】
前記課題を解決するための、本願の第１の発明は、個々のユーザの条件に合った電子クーポンをクーポンデータベースから選択し該ユーザに付与するクーポン配信手段を備えたクーポン配布サーバと、前記配信された電子クーポンとユーザ識別子とを内部に保持し近距離通信機能を備えたユーザの携帯端末と、店舗の識別子を内部に保持し近距離無線通信機能を備えた店舗内で用いるＰＯＳ端末と、を用いて電子クーポンを使用する方法であって、ユーザが、ユーザの携帯端末が保持している電子クーポンの中から使用する電子クーポンを選択してユーザの携帯端末の画面に表示させるステップと、ユーザの携帯端末からユーザ識別子と使用する電子クーポンの識別子をクーポン配布サーバに送信するステップと、ユーザ識別子が、ユーザの携帯端末から前記ＰＯＳ端末へ近距離無線通信によって送信されるステップと、前記ＰＯＳ端末が電子クーポンを使用したユーザ識別子をクーポン配布サーバに送信するステップと、ユーザ識別子を受信したクーポン配布サーバが該当する電子クーポンのクーポン情報を前記ＰＯＳ端末に送信するステップと、クーポン情報を受信した前記ＰＯＳ端末が対象商品の特典供与を行うとともに使用した電子クーポンの識別子をクーポン配布サーバに送信するステップと、電子クーポンの識別子を受信したクーポン配布サーバは該電子クーポンを使用済みとして処理するステップと、の各ステップからなることを特徴とする電子クーポンの使用方法である。これにより、ユーザ識別子しか取得できないＰＯＳ端末を用いても、ユーザの所望する電子クーポンを容易に取扱うことが可能になる。
【００１３】
前記ＰＯＳ端末が対象商品の特典供与に係る処理を行った後、ユーザの携帯端末またはユーザが持つクレジットカードからクレジットカード情報を入手している場合は、クレジットカードによる決済を引き続き行ってもよい、この場合、カード会社に対しクレジットカード情報と特典供与済みの金額を送信するステップと、クレジット会社がこの情報を受信し認証するとクレジットカードによる決済を行うとともにＰＯＳ端末に対し決済の結果を送信するステップと、ＰＯＳ端末は決済の結果を受信してレシートデータを作成しレシートを出力するステップをさらに備える。
【００１４】
また、本願の第２の発明は、個々のユーザの条件に合った電子クーポンをクーポンデータベースから選択し該ユーザに付与するクーポン配信手段を備えたクーポン配布サーバと、前記配信された電子クーポンとユーザ識別子とを内部に保持し近距離通信機能を備えたユーザの携帯端末と、店舗の識別子と近距離無線通信機能を備えた店舗内で用いる情報処理端末と、を用いて電子クーポンを使用する方法であって、ユーザが、ユーザの携帯端末が保持している電子クーポンの中から使用する電子クーポンを選択するステップと、ユーザが選択した電子クーポンの識別子とユーザ識別子がユーザの携帯端末から店舗内で用いる情報処理端末に送信されるステップと、店員が店舗内で用いる情報処理端末に送信された電子クーポンの画面を目視し対象商品の特典供与を行うステップと、店員が店舗内で用いる情報処理端末を用いてユーザ識別子と使用する電子クーポンの識別子および電子クーポンを使用した店舗の識別子をクーポン配布サーバに送信するステップと、これらの複数の識別子を受信したクーポン配布サーバが該電子クーポンを使用済みとして処理して処理結果を店舗内で用いる情報処理端末に送信するステップと、前記処理結果を受信した店舗内で用いる情報処理端末は電子クーポンの使用結果画面を表示するステップと、の各ステップからなることを特徴とする電子クーポンの使用方法である。これにより、店舗において、スマートフォンのような入手が容易な機器を用いて電子クーポンを取扱うことが可能になる。
【００１５】
前記ユーザの携帯端末が近距離無線通信によって店舗内で用いる情報処理端末に対し使用する電子クーポンを送信した後、該電子クーポンを使用済みとした使用結果画面データを自身のコンピュータプログラムにより作成して使用結果画面を画面上に表示してもよい。
【００１６】
また、本願第３の発明は、個々のユーザの条件に合った電子クーポンをクーポンデータベースから選択し該ユーザに付与するクーポン配信手段を備えたクーポン配布サーバと、前記配信された電子クーポンとユーザ識別子とを内部に保持し近距離無線通信機能を備えたユーザの携帯端末と、店舗の識別子を近距離無線通信によって送信するスマートポスターと、を用いて電子クーポンを使用する方法であって、ユーザが、ユーザの携帯端末が保持している電子クーポンの中から使用する電子クーポンを選択してユーザの携帯端末の画面に表示させるステップと、ユーザの携帯端末がスマートポスターから該店舗の識別子を近距離無線通信によって取得するステップと、店員が前記選択された電子クーポンの画面を目視し対象商品の特典供与をするステップと、ユーザがユーザの携帯端末を用いてユーザ識別子と使用する電子クーポンの識別子および電子クーポンを使用した店舗の識別子をクーポン配布サーバに送信するステップと、これらの複数の識別子を受信したクーポン配布サーバが該電子クーポンを使用済みとして処理して処理結果をユーザの携帯端末に送信するステップと、前記処理結果を受信した前記携帯端末は電子クーポンの使用結果画面を表示するステップと、の各ステップからなることを特徴とする電子クーポンの使用方法である。これにより、店舗において、スマートポスターのような安価な機器を用いて電子クーポンを取扱うことが可能になる。
【００１７】
前記店員が前記選択された電子クーポンの画面を目視し対象商品の特典供与をするステップを実施せず、ユーザの携帯端末に使用結果画面を表示するステップの後に、店員が前記使用結果画面を目視して前記電子クーポンの対象商品の特典供与をするステップを備えるようにしてもよい。
【００１８】
本願の第４の発明は、外部端末からネットワークを通じてユーザ識別子と使用する電子クーポンの識別子と電子クーポンを使用した店舗の識別子を含むリクエストを受付けて、処理結果を返信する送受信手段と、ユーザの携帯端末に対し、所定の時間毎に電子クーポンをクーポンデータベースから選択し該ユーザに付与するクーポン配信手段と、付与した電子クーポンを蓄積するユーザ保有クーポンデータと、外部端末からのクーポン識別子を含むクーポン使用通知を受けユーザ保有クーポンデータを書き換えて結果を返信し、外部端末からのクーポン識別子を含むクーポン使用予告を受けユーザ保有クーポンデータを書き換えるとともに外部端末からのユーザ識別子を含むクーポン情報問合せを受けユーザ保有クーポンデータのクーポン情報を返信するクーポン管理手段と、上記各手段を制御する制御手段と、を備えることを特徴とするクーポン配布サーバである。
【００１９】
前記外部端末には、ユーザの携帯端末、店舗内で用いる情報処理端末および店舗内で用いるＰＯＳ端末が含まれる。
【００２０】
本願の第５の発明は、配信された電子クーポンとユーザ識別子とを内部に保持し、使用する電子クーポンの選択指示を受付けて選択されたクーポンの情報を表示装置に表示し、近距離無線通信機能によって電子クーポンを使用した店舗のスマートポスターから店舗の識別子を取得した後、クーポン使用通知とともにユーザ識別子と使用する電子クーポンの識別子およびスマートポスターから取得した店舗の識別子をクーポン配布サーバに送信することを特徴とする携帯端末に搭載するプログラムである。
【００２１】
また、本願の第６の発明は、配信された電子クーポンとユーザ識別子とを内部に保持し、使用する電子クーポンの選択指示を受付けて選択された電子クーポンの識別子とユーザ識別子を、店舗内で用いる情報処理端末が近距離無線通信機能によって取得することを特徴とする携帯端末に搭載するプログラムである。
【００２２】
また、本願の第７の発明は、配信された電子クーポンとユーザ識別子とを内部に保持し、使用する電子クーポンの選択指示を受付けて選択された電子クーポンの識別子ユーザ識別子を、店舗内で用いる情報処理端末に対して近距離無線通信機能によって送信することを特徴とする携帯端末に搭載するプログラムである。
【００２３】
前記ユーザの携帯端末が近距離無線通信によって店舗内で用いる情報処理端末に対し使用する電子クーポンのユーザ識別子を通知した後、該電子クーポンを使用済みとした使用結果画面データを自身のコンピュータプログラムにより作成して使用結果画面を画面上に表示するようにしてもよい。
【００２４】
また、本願の第８の発明は、配信された電子クーポンとユーザ識別子とを内部に保持し、使用する電子クーポンの選択指示を受付けて選択された電子クーポンのユーザ識別子を、近距離無線通信機能によって前期ＰＯＳ端末に取得させることを特徴とする携帯端末に搭載するプログラムである。
【００２５】
また、本願の第９の発明は、配信された電子クーポンとユーザ識別子とを内部に保持し、使用する電子クーポンの選択指示を受付けて選択された電子クーポンのユーザ識別子を、近距離無線通信機能によって前期ＰＯＳ端末に対して送信することを特徴とする携帯端末に搭載するプログラムである。
【００２６】
前記ユーザの携帯端末が近距離無線通信によって店舗内で用いるＰＯＳ端末に対しクレジットカードでの決済に必要な情報を送信するようにしてもよい。
【００２７】
本願の第１０の発明は、ユーザの携帯端末からユーザ識別子と使用する電子クーポンの識別子を含む使用するクーポンのデータを近距離無線通信機能によって取得し、該クーポンの情報を表示装置に表示し、クーポン使用通知とともにユーザ識別子と使用する電子クーポンの識別子および電子クーポンを使用した店舗の識別子をクーポン配布サーバに送信する、通知アプリケーションを備えることを特徴とする店舗内で用いる情報処理端末である。
【００２８】
前記店舗内で用いる情報処理端末は、ユーザの携帯端末が送信するユーザ識別子と使用する電子クーポンの識別子を含む使用するクーポンのデータを近距離無線通信機能によって受信するようにしてもよい。
【００２９】
本願の第１１の発明は、コンピュータを本願の第４の発明のクーポン配布サーバとして機能させることを特徴としたコンピュータプログラムである。
【００３０】
本願の第１２の発明は、コンピュータを本願の第１０の発明の店舗内で用いる情報処理端末として機能させることを特徴としたコンピュータプログラムである。
【００３１】
前記ユーザの携帯端末（以下、ユーザ端末と称す）と店舗内で用いる情報処理端末（以下、店舗スマートフォンと称す）および店舗内で用いるＰＯＳ端末（以下、店舗ＰＯＳ端末と称す）の間で電子クーポンを授受する方法は、それぞれの端末間で近距離無線通信（Ｎｅａｒ  Ｆｉｅｌｄ  Ｃｏｍｍｕｎｉｃａｔｉｏｎ（以下、ＮＦＣ通信と称す）など）によるデータ通信を用いる。
【発明の効果】
【００３２】
本発明によれば、クーポン配信サーバを用いて、ユーザの所望する電子クーポンを適切に配信することができる。また、店舗においては、ユーザ識別子しか取得できないＰＯＳ端末を用いて、また、スマートポスターやスマートフォンといった安価で入手が容易な機器を用いて電子クーポンを取扱うことが可能になるとともに、ユーザにとっても電子クーポンを使用できる店舗が増加することにより双方に大きなメリットをもたらす。
【図面の簡単な説明】
【００３３】
【図１】本発明の全体構成を示す図である。
【図２】本発明における各装置をより詳しく説明する機能ブロック図。
【図３】本発明のクーポン配布サーバ１００のハードウェア構成の一例を示すブロック図である。
【図４】クーポン配信手段１３０の動作の流れを示すブロック図である。
【図５】クーポンデータベース１８３のデータ例である。
【図６】ユーザデータ１８１のデータ例である。
【図７】店舗データ１８４のデータ例である。
【図８】クーポン管理手段１４０の動作の流れを示すブロック図である。
【図９】スマートポスターを利用したクーポンの使用方法の流れを示すブロック図である。
【図１０】店舗スマートフォンを利用したクーポンの使用方法の流れを示すブロック図である。
【図１１】店舗スマートフォンを利用したクーポンの使用方法のもう一つの流れを示すブロック図である。
【図１２】店舗ＰＯＳ端末を利用したクーポンの使用方法の流れを示すブロック図である。
【発明を実施するための形態】
【００３４】
以下に、本発明の実施例の構成について図面を参照してさらに詳細に説明する。また、本発明の実施例として、ユーザに配布したクーポンの詳細な情報はクーポン配布サーバが保持し、ユーザ端末側にはクーポン情報を表示選択するために用いられるクーポンデータ概要が蓄積される例を挙げて説明する。
【００３５】
図１は、本発明の全体構成を示す図である。図１において、１００はクーポン配布サーバであり、インターネット上で１つ以上のユーザ端末２００に対し電子クーポンを提供する装置である。本装置はコンピュータプログラム（詳細な説明は後述）といくつかのデータベース（詳細な説明は後述）を備えている。また、複数の店舗ＰＯＳ（Ｐｏｉｎｔ  ｏｆ  Ｓａｌｅｓ：販売時点管理）端末４００および複数の店舗スマートフォン６００もインターネットに接続されている。
【００３６】
ネットワーク５００は簡略化されて表示しているが、例えばインターネットのようなゲートウェイを介した複数のネットワークの組合せであり、ＬＡＮ（Ｌｏｃａｌ  Ａｒｅａ  Ｎｅｔｗｏｒｋ）、電話回線、移動体通信網等から構成され、クーポン配布サーバ１００と、ユーザ端末２００、店舗ＰＯＳ端末４００および店舗スマートフォン６００との間で情報の送受信を可能とするためのものである。
【００３７】
クーポンを使用するユーザは、ユーザ端末２００からネットワーク５００を介してＷＷＷ（Ｗｏｒｌｄ  Ｗｉｄｅ  Ｗｅｂ）上の前記クーポン配布サーバ１００から提供された電子クーポンを用いて、商品の購入金額の割引や商品に関連した景品を受け取ることができる。
【００３８】
図２は、本発明のクーポン配布サーバ１００とユーザ端末２００をより詳しく説明する機能ブロック図である。クーポン配布サーバ１００は、ユーザ端末２００に電子クーポンを配布するコンピュータであり、ユーザの識別子（ＩＤ）およびユーザが設定したクーポンを取得する条件を蓄積したユーザデータ１８１と、ユーザが保有している電子クーポンのクーポン情報をユーザ毎に保持したユーザ保有クーポンデータ１８２と、所有している全ての電子クーポンを蓄積したクーポンデータベース１８３と、電子クーポンを提供した店舗の位置情報等を蓄積した店舗データ１８４のそれぞれのデータベースを備える。また、それぞれのユーザに電子クーポンを配信するクーポン配信手段１３０と、ユーザが所有する電子クーポンの情報を提供したり使用された電子クーポンを使用済みとして処理するクーポン管理手段１４０と、これらの手段とデータベースを関連付けて制御する制御手段１２０と、ネットワーク５００を通じて外部装置とデータの送受信を行う送受信手段１１０のそれぞれのプログラムを備える。
【００３９】
ここで、ネットワーク５００を通じてデータの送受信を行う外部装置とは、ユーザ端末２００、または、店舗ＰＯＳ端末４００および店舗スマートフォン６００などである。
【００４０】
ユーザ端末２００は、クーポン配布サーバ１００に対して、電子クーポンを使用することを要請するクーポンアプリケーション２１０と、ユーザＩＤ２２１とユーザが保有している電子クーポンの情報の概要が蓄積されたクーポンデータ概要２２２を備える。上記ユーザＩＤ２２１はユーザ端末２００内の非接触ＩＣのメモリに記憶されていてもよい。また、店舗スマートフォン６００とＮＦＣ通信を行うためのＮＦＣ通信機能２３０を備える。
【００４１】
店舗スマートフォン６００は、クーポンを使用する店舗内、好ましくは、店員が居る購入商品の売上処理を行うレジスターやＰＯＳ端末等の近傍に設置されており、クーポン配布サーバ１００に対して、使用される電子クーポンの情報を通知する通信アプリケーション６１０と、該店舗データと紐づいたタグＩＤ６２０を備える。また、ユーザ端末２００とＮＦＣ通信を行うためのＮＦＣ通信機能６３０を備える。
【００４２】
スマートポスター７００は、クーポンを使用する店舗内、好ましくは、店員が居る購入商品の売上処理を行うレジスターや店舗ＰＯＳ端末４００等の近傍に設置されており、該店舗データと紐づいたタグＩＤを記憶したＲＦＩＤタグを備えている。ユーザ端末２００は店舗にてクーポンを使用する際、このスマートポスター７００とＮＦＣ通信を行いタグＩＤを取得する。
【００４３】
図３は、クーポン配布サーバ１００のハードウェア構成を示す図である。尚、図３のハードウェア構成は一例であり、別途、目的に応じて様々な構成を採ることが可能である。図３に示すようにコンピュータは、制御部１０１、記憶部１０２、周辺機器Ｉ／Ｆ部１０３、入力部１０４、表示部１０５、通信部１０６がバス１０９を介して接続される。
【００４４】
制御部１０１は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）等で構成される。ＣＰＵは、記憶部１０２、ＲＯＭ、記録媒体等に格納されるプログラムをＲＡＭ上のワークメモリ領域に呼び出して実行し、バス１０９を介して接続された各装置を駆動制御し、コンピュータが行う処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１０２、ＲＯＭ、記録媒体等からロードしたプログラム、データ等を一時的に保持するとともに、制御部１０１が各種処理を行う為に使用するワークエリアを備える。
【００４５】
記憶部１０２は、ＨＤＤ（ハードディスクドライブ）であり、制御部１０１が実行するプログラム、プログラム実行に必要なデータ、ＯＳ（オペレーティングシステム）、ユーザデータ１８１、ユーザ保有クーポンデータ１８２、クーポンデータベース１８３、店舗データ１８４等が格納される。プログラムに関しては、ＯＳ（オペレーティングシステム）に相当する制御プログラムや、後述するクーポン配信手段１３０として機能させるプログラムコードおよびクーポン管理手段１４０として機能させるプログラムコードが格納されている。これらの各プログラムコードは、制御部１０１により必要に応じて読み出されてＲＡＭに移され、ＣＰＵに読み出されて各種の手段として実行される。
【００４６】
周辺機器Ｉ／Ｆ（インタフェース）部１０３は、コンピュータに周辺機器を接続させるためのポートであり、周辺機器Ｉ／Ｆ部１０３を介してコンピュータは周辺機器とのデータの送受信を行う。周辺機器Ｉ／Ｆ部１０３は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００４７】
入力部１０４は、データの入力を行い、例えば、キーボード、マウス等のポインティングデバイス、テンキー等の入力装置を有する。入力部１０４を介して、コンピュータに対して、操作指示、動作指示、データ入力等を行うことができる。表示部１０５は、液晶パネル等のディスプレイ装置、ディスプレイ装置と連携してコンピュータのビデオ機能を実現するための論理回路等（ビデオアダプタ等）を有する。
【００４８】
通信部１０６は、通信制御装置、通信ポート等を有し、コンピュータとネットワーク５００間の通信を媒介する有線または無線の通信インタフェースであり、ネットワーク５００を介して、他のコンピュータ間との通信制御を行う。バス１０９は、各装置間の制御信号、データ信号等の授受を媒介する経路である。
【００４９】
また、特に図示はしないが、ユーザ端末２００と店舗スマートフォン６００についてもクーポン配布サーバ１００に準じたハードウェアの構成をしており、通信部は、通信制御装置、通信ポート等を有し、それぞれの装置とネットワーク５００間の通信を媒介する通信インタフェースであり、ネットワーク５００を介して、他のコンピュータ、特にクーポン配布サーバ１００との通信制御を行う。
図５はクーポンデータベース１８３の一例を示す図である。データベース１８３の１件の記録（１レコード）は、初期割引率等の割引率を示す項目と利用開始日時、利用終了日時、店舗識別子、配布開始日を示す項目とクーポンＩＤとが関係付けられて構成されるとした例である。
図６はユーザデータ１８１の一例である。ユーザデータ１８１の１件の記録（１レコード）は、ユーザＩＤ，登録地域ＩＤ，登録店舗ＩＤから構成されるとした例である。
図７は店舗データ１８４の一例である。店舗データ１８４の１件の記録（１レコード）は、店舗ＩＤ，店舗名、該店舗の所在地を特定する地域ＩＤから構成されるとした例である。
【００５０】
図４は、クーポン配信手段１３０の動作の流れを示すブロック図である。クーポン配布サーバ１００は例えば１日に１回、または、クーポン提供店舗からのクーポン提供の通知を得た場合、クーポンの取得蓄積（Ｓ１０）を実行する。クーポン取得蓄積（Ｓ１０）は送受信手段１１０を介して複数のクーポン提供店舗に向けて、現在配布している電子クーポンがあるかどうか問合せをする。クーポン提供店舗はこの問合せに応じて、クーポン配布サーバ１００に向けて店舗情報と電子クーポンを配信する。
【００５１】
クーポン配布サーバ１００は、送受信手段１１０を介して配信された店舗情報と電子クーポンを受取り、そのデータ内容がクーポンデータベース１８３に既に蓄積されている各レコードと比較して同種の電子クーポンが存在しないとき、該電子クーポンをまだ受取ったことがない電子クーポンと判断し、受信したクーポンのデータを獲得して、クーポンデータベース１８３に新たなレコードを作成しデータを蓄積する。
【００５２】
また、クーポン配布サーバ１００は例えば１日に１回、または、前記受信したクーポンを新たに蓄積したタイミングで、ユーザ端末２００にクーポン配布を行う（Ｓ１１）。配布の方法はクーポンデータベース１８３に蓄積されている電子クーポンの全てについて、ユーザデータ１８１と店舗データ１８４を参照しながら条件に見合うクーポンを抽出してユーザ保有クーポンデータ１８２に蓄積し、送受信手段１１０を介してユーザ端末２００に配信する。具体的なクーポン配布方法の例を挙げると、先ず、クーポンデータベース１８３（図５）から配布開始日以降で利用終了日時以前のクーポンを抽出し、店舗ＩＤを記憶する。次に店舗データ１８４（図７）を参照し該当する店舗ＩＤの地域ＩＤを記憶する。更にユーザデータ１８１（図６）を参照し、ユーザが登録している地域ＩＤまたは店舗ＩＤが、先に記憶した地域ＩＤまたは店舗ＩＤと合致した場合、該ユーザのユーザ保有クーポンデータ１８２にこのクーポンデータを付加するといった手続を繰り返す。
【００５３】
ユーザ端末２００は配信された電子クーポンについて、既に保持しているものと重複する電子クーポンを削除した上で、クーポンの識別子（クーポンＩＤ）を含む必要な情報をクーポンデータ概要２２２に蓄積する（Ｓ１２）。これにより、ユーザが保有している電子クーポンについて、クーポン配布サーバ１００とユーザ端末２００の双方の電子クーポンの所有情報とクーポンデータを一致させることができる。さらに、クーポン配布サーバ１００は既に使用可能期間が過ぎた電子クーポンのデータを削除する。
【００５４】
図８は、クーポン管理手段１４０の動作の流れを示すブロック図である。クーポン管理手段は外部端末（本実施例では、ユーザ端末２００、店舗スマートフォン６００および店舗ＰＯＳ端末４００が該当する）からの指示を送受信手段１１０を介して受け取り、それぞれの指示に応じた処理を行う。
【００５５】
指示の一つはクーポン使用通知で、この指示とともに、使用したクーポンＩＤとユーザＩＤおよび店舗データと紐づいたタグＩＤを受取り、ユーザ保有クーポンデータ１８２内の該当するレコードを「使用済み」に書き換え、処理結果を該外部端末に送信する（Ｓ１５）。指示の二つめはクーポン使用予告で、この指示とともに、クーポンＩＤとユーザＩＤを受取り、ユーザ保有クーポンデータ１８２内の該当するレコードを「使用予定」に書き換える（Ｓ１６）。指示の三つめはクーポン情報問合せで、この指示とともに、ユーザＩＤを受取り、ユーザ保有クーポンデータ１８２内の「使用予定」となっている当該ユーザＩＤのレコードを参照し（Ｓ１７）、クーポンＩＤと特典情報を指示元の外部端末に返信する（Ｓ１８）。
【００５６】
図９は、スマートポスター７００を利用したクーポン使用方法の流れを示すブロック図である。クーポンの使用を希望するユーザは自身のユーザ端末２００のクーポンアプリケーション２１０を起動し（Ｓ２０）、端末の表示装置にクーポン選択画面を表示する（Ｓ２１）。
【００５７】
ユーザはクーポン選択画面から使用するクーポンを選択して、クーポンを使用したい商品の売上処理時、選択したクーポンをユーザ端末２００の表示装置に表示して（Ｓ２２）店員に提示する。店員は使用するクーポンを確認し（Ｓ２３）、特典供与を行う（Ｓ２４）。同時にユーザはＮＦＣ通信機能２３０を用いてタグＩＤを取得するために、店員の前でスマートポスター７００にユーザ端末２００を近接させる（Ｓ２５）。これにより、スマートポスター７００が内蔵するＲＦＩＤタグから店舗データと紐づいたタグＩＤがユーザ端末２００に送信される（Ｓ２６）。次に、ユーザ端末２００は前記タグＩＤとここで使用したクーポンＩＤおよびユーザＩＤ２２１をクーポン使用通知とともにクーポン配布サーバ１００に向けて送信する（Ｓ２７）。クーポン配布サーバ１００は送受信手段１１０を介してこのデータを受けると、クーポン管理手段１４０を起動する。クーポン管理手段１４０は該当するクーポンが使用済みとなったとしてユーザ保有クーポンデータ１８２を書換え、使用結果を送受信手段１１０を介してユーザ端末２００に送信する（図８のＳ１５）。ユーザ端末２００は使用結果を受信すると、端末の表示装置に使用結果画面を表示する（Ｓ２８）。
【００５８】
また、前記選択したクーポンをユーザ端末２００の表示装置に表示（Ｓ２２）した後、店員にこの表示を提示し、店員は使用するクーポンを確認して（Ｓ２３）特典供与を行う（Ｓ２４）処理についてこれを省略し、使用結果画面が端末の表示装置に表示された（Ｓ２８）後、店員は使用するクーポンを確認して（Ｓ２３）特典供与を行う（Ｓ２４）ようにしてもよい。
【００５９】
この、スマートポスター７００を利用したクーポン使用方法によれば、店頭に店舗データと紐づいたタグＩＤを記憶したＲＦＩＤタグを備えたスマートポスター７００を設置するだけで、電子クーポンを使用でき、使用した結果も端末の表示画面で確認できる。
【００６０】
図１０は、店舗スマートフォン６００を使用したクーポン使用方法の流れを示すブロック図である。クーポンの使用を希望するユーザは自身のユーザ端末２００のクーポンアプリケーション２１０を起動し（Ｓ３１）、端末の表示装置にクーポン選択画面を表示する（Ｓ３２）。
【００６１】
ユーザはクーポン選択画面から使用するクーポンを選択して（Ｓ３３）、クーポンを使用する商品をレジカウンターで売上処理するとき、店員にクーポンを使用する旨口頭で通知する。店員は店舗スマートフォン６００において通信アプリケーション６１０を起動させ（Ｓ３４）、ＮＦＣ通信機能２３０を用いてユーザ端末２００からユーザが選択したクーポンのデータを読み取る（Ｓ３５）。このデータには該クーポンＩＤおよびユーザＩＤ２２１が含まれる。店員はこの際、使用するクーポンを確認し特典供与を行う（Ｓ３７）。ＮＦＣ通信が完了したら、ユーザ端末２００のクーポンアプリケーション２１０は端末の表示装置に使用結果画面を表示する（Ｓ３６）。
【００６２】
店舗スマートフォン６００の通信アプリケーション６１０は、タグＩＤ６２０とユーザ端末２００から受信したクーポンＩＤおよびユーザＩＤをクーポン使用通知とともにクーポン配布サーバ１００に向けて送信する（Ｓ３８）。クーポン配布サーバ１００は送受信手段１１０を介してこのデータを受けると、クーポン管理手段１４０を起動して該当するクーポンが使用済みとなったとしてユーザ保有クーポンデータ１８２を書換え、使用結果を送受信手段１１０を介して店舗スマートフォン６００に送信する（図８のＳ１５）。店舗スマートフォン６００は使用結果を受信すると、端末の表示装置に使用結果画面を表示する（Ｓ３９）。
【００６３】
図１１は、店舗スマートフォン６００を使用したクーポン使用方法のもう一つの流れを示すブロック図である。クーポンの使用を希望するユーザは自身のユーザ端末２００のクーポンアプリケーション２１０を起動し（Ｓ４１）、端末の表示装置にクーポン選択画面を表示する（Ｓ４２）。
【００６４】
ユーザはクーポン選択画面から使用するクーポンを選択して（Ｓ４３）、クーポンを使用する商品をレジカウンターで売上処理するとき、店舗スマートフォン６００に対してＮＦＣ通信機能２３０を用いて選択したクーポンのデータを送信する（Ｓ４４）。このデータには該クーポンＩＤおよびユーザＩＤ２２１が含まれる。店員はこの際、店舗スマートフォン６００に表示されたユーザが使用するクーポンを確認し特典供与を行う（Ｓ４６）。ＮＦＣ通信が完了したら、ユーザ端末２００のクーポンアプリケーション２１０は端末の表示装置に使用結果画面を表示する（Ｓ４５）。
【００６５】
店舗スマートフォン６００の通信アプリケーション６１０は、ユーザ端末２００のクーポンアプリケーション２１０によってＮＦＣ通信時に起動され、タグＩＤ６２０とユーザ端末２００から受信したクーポンＩＤおよびユーザＩＤをクーポン使用通知とともにクーポン配布サーバ１００に向けて送信する（Ｓ４７）。クーポン配布サーバ１００は送受信手段１１０を介してこのデータを受けると、クーポン管理手段１４０を起動して該当するクーポンが使用済みとなったとしてユーザ保有クーポンデータ１８２を書換え、使用結果を送受信手段１１０を介して店舗スマートフォン６００に送信する（図８のＳ１５）。店舗スマートフォン６００は使用結果を受信すると、端末の表示装置に使用結果画面を表示する（Ｓ４８）。
【００６６】
これらの、店舗スマートフォン６００を使用したクーポン使用方法によれば、前記スマートポスターを利用した方法に比べ、ユーザがスマートポスター７００からタグＩＤを取得する必要が無く、また、店員は店舗スマートフォン６００に表示された画面でクーポンが使用済みになったことを確認することができる。
【００６７】
図１２は、店舗ＰＯＳ端末４００を利用したクーポン使用方法の流れを示すブロック図である。店舗ＰＯＳ端末４００は、ＮＦＣ通信機能によってユーザ端末２００からユーザＩＤを受信するとともにクーポン配布サーバと交信するアプリケーションとを備える。まず、クーポンの使用を希望するユーザは自身のユーザ端末２００のクーポンアプリケーション２１０を起動し（Ｓ５１）、端末の表示装置にクーポン選択画面を表示する（Ｓ５２）。
【００６８】
ユーザはクーポン選択画面から使用する電子クーポンを選択してクーポンの使用予告をクーポン配布サーバ１００にクーポンＩＤとユーザＩＤとともに送信し（Ｓ５３）、使用するクーポンを通知する。クーポン配布サーバ１００は送受信手段１１０を介してこのデータを受取ると、クーポン管理手段１４０を起動して、その情報を保持する（図８のＳ１６）。その後、該クーポンを使用する商品の売上処理時に店舗ＰＯＳ端末４００はＮＦＣ通信機能を用いてユーザ端末２００のユーザＩＤを受信する（Ｓ５４）。
【００６９】
前記使用する電子クーポンを通知した後、該クーポンを使用する商品の売上処理時にユーザ端末２００はＮＦＣ通信機能を用いて店舗ＰＯＳ端末４００に対しユーザＩＤを送信するようにしてもよい（Ｓ５４）。
【００７０】
前記ユーザ端末２００が店舗ＰＯＳ端末４００に提供するユーザＩＤは、ユーザ端末２００内の非接触ＩＣのメモリに記憶されていてもよいしクーポンアプリケーション２１０内に記憶されていてもよい。
【００７１】
店舗ＰＯＳ端末４００はユーザ端末２００とのＮＦＣ通信が完了したら、クーポンＩＤとともにクーポン情報問合せをクーポン配布サーバ１００に向けて送信する（Ｓ５５）。クーポン配布サーバ１００は送受信手段１１０を介してこのデータを受取ると、クーポン管理手段１４０を起動して、クーポン情報（特典情報）を送受信手段１１０を介して店舗ＰＯＳ端末４００に返信する（図８のＳ１８）。店舗ＰＯＳ端末４００は受信したクーポン情報を元に特典供与を実施し（Ｓ５６）、ユーザに対して売上処理を行う。または、ユーザがクレジットカードでの決済を望んでおり既にユーザ端末２００からクレジットカード情報を受取っている場合は、カード会社に対しクレジットカード情報と特典供与済みの金額を送信する（Ｓ５６）。ここで、クレジットカード情報はユーザ端末２００からではなくＰＯＳ端末のカードリーダライタを用いてユーザが持つクレジットカードから入手しても良い。クレジット会社はこの情報を受取り、認証するとクレジットカードによる決済を行い、店舗ＰＯＳ端末４００に対し決済結果を送信する（Ｓ５８）、店舗ＰＯＳ端末４００はこの決済の結果を受信してレシートデータを作成して端末からレシートを出力する（Ｓ５９）。店舗ＰＯＳ端末４００は特典供与及び決済依頼が完了すると、タグＩＤとクーポンＩＤおよびユーザＩＤをクーポン使用通知とともにクーポン配布サーバ１００に向けて送信する（Ｓ５７）。クーポン配布サーバ１００は送受信手段１１０を介してこのデータを受けると、クーポン管理手段１４０を起動して該当するクーポンが使用済みとなったとしてユーザ保有クーポンデータ１８２を書換え、使用結果を送受信手段１１０を介してユーザ端末２００に送信する（図８のＳ１５）。ユーザ端末２００は使用結果を受信すると、端末の表示装置に使用結果画面を表示する（Ｓ６０）。
【００７２】
この、店舗ＰＯＳ端末４００を使用したクーポン使用方法によれば、ユーザおよび店員の手を煩わせることなく電子クーポンを用いた売上処理ができる。また、クーポン情報をクーポン配布サーバ１００に問合せることにより、最新の特典情報による特典付与ができる。
【００７３】
本発明によれば、特別な装置を必要とせず、スマートポスターといった安価で簡素な機器や日常使用される携帯電話（スマートフォン）を用いて容易に電子クーポンを使用することができるもので、特に電子クーポンが使用される店舗において、過度な費用負担をかけずに電子クーポンを適切に使用することを可能とするものである。
【００７４】
本発明は、上述の実施例に限定されることなく、特許請求の範囲内で種々変更、応用が可能である。例えば、本実施例では公開されたインターネットでの使用を事例に挙げているが特にクローズした電子取引のネットワークでも構わない。あるいはユーザ端末としてタブレット型のパソコン等の携帯端末であっても同様に本発明の実施をすることが可能である。
【符号の説明】
【００７５】
１００  クーポン配布サーバ
１０１  制御部
１０２  記憶部
１０３  周辺機器Ｉ／Ｆ部
１０４  入力部
１０５  表示部
１０６  通信部
１１０  送受信手段
１２０  制御手段
１８１  ユーザデータ
１８２  ユーザ保有クーポンデータ
１８３  クーポンデータベース
１８４  店舗データ
２００  ユーザ端末
２１０  クーポンアプリケーション
２３０  ＮＦＣ通信機能
４００  店舗ＰＯＳ端末
５００  ネットワーク
６００  店舗スマートフォン
６１０  通信アプリケーション
７００  スマートポスター
【図１】
2014002682.tif 000003
【図２】
2014002682.tif 000004
【図３】
2014002682.tif 000005
【図４】
2014002682.tif 000006
【図５】
2014002682.tif 000007
【図６】
2014002682.tif 000008
【図７】
2014002682.tif 000009
【図８】
2014002682.tif 000010
【図９】
2014002682.tif 000011
【図１０】
2014002682.tif 000012
【図１１】
2014002682.tif 000013
【図１２】
2014002682.tif 000014